【手続補正書】
【提出日】令和3年4月1日(2021.4.1)
【手続補正１】
【補正対象書類名】特許請求の範囲
【補正対象項目名】全文
【補正方法】変更
【補正の内容】
【特許請求の範囲】
【請求項１】
複数の識別表示を変動表示可能な可変表示手段と、前記可変表示手段を用いた遊技の進行を制御する遊技制御手段と、を備え、
前記遊技制御手段は、遊技者にとって有利な停止操作の態様の報知を実行不能な非有利状態と、当該報知を実行可能な有利状態と、を制御可能であり、
前記有利状態として、出玉率が１を超えない第１有利状態と、当該第１有利状態から移行可能で出玉率が１を超える第２有利状態と、を少なくとも有し、
前記有利状態に関連して計数された数値が特定値に達すると、前記有利状態を継続可能な残り期間に関わらず前記有利状態を終了するリミット処理を実行可能なリミット制御手段を更に備える遊技機であって、
非有利状態において第１条件を満たすと、遊技状態を前記第１有利状態に移行し、 前記非有利状態において第２条件を満たすと、遊技状態を前記第２有利状態に移行し、前記第１有利状態において第３条件を満たすと、遊技状態を前記非有利状態に移行し、前記第１有利状態において第４条件を満たすと、遊技状態を前記第２有利状態に移行する状態制御手段を更に備え、
前記非有利状態において前記第２有利状態への移行契機となる前記第２条件を満たす確率は、前記第１有利状態において前記第２有利状態への移行契機となる前記第４条件を満たす確率よりも高く、
前記リミット制御手段は、前記有利状態において最も減少した際の遊技価値の数量を基準として遊技価値が特定数量増加すると、前記リミット処理を実行可能であり、
前記有利状態が終了する際の割合として、前記リミット処理により前記有利状態が終了する割合よりも、前記第２有利状態の終了条件が成立したことに伴って前記有利状態が終了する割合の方が高い
ことを特徴とする遊技機。
【手続補正２】
【補正対象書類名】明細書
【補正対象項目名】０００４
【補正方法】変更
【補正の内容】
【０００４】
従来、特許文献１に、内部当籤役に決定された役を取りこぼすことがないように、内部当籤役を成立させるための情報など遊技者にとって有利な情報を、遊技者に対して報知するＡＴ（assist time）機能を設け、報知期間（ＡＴ）が長期間にわたり継続すると、残りのゲーム数に関わらず強制的に報知期間を終了させるリミット処理を行う遊技機が開示されている。このような遊技機によれば、遊技者にとって有利な状態が無制限に継続してしまうことを防止できるため、遊技の射幸性が徒に高まってしまうことを抑制することができる。
【手続補正３】
【補正対象書類名】明細書
【補正対象項目名】０００５
【補正方法】変更
【補正の内容】
【０００５】
【特許文献１】特開２０１７−１５３７２４号公報
【手続補正４】
【補正対象書類名】明細書
【補正対象項目名】０００６
【補正方法】変更
【補正の内容】
【０００６】
ところで、このような遊技機では、非報知期間から報知期間への移行に関して高確率／低確率のように確率を異ならせることができないため、報知期間を第１区間と第２区間のように分け、第２区間を従来の遊技機におけるＡＴ中とするとともに、第１区間中に第２区間への移行確率に差をつけることで、ＡＴ（第２区間）への移行に確率差を設けることとしている。しかしながら、第１区間は報知期間に含まれるため、このような制御では、第１区間が長期間にわたって継続した後に第２区間（ＡＴ区間）に移行した場合、報知期間が上限に到達し易くなってしまい、遊技者の興趣を損ねてしまう恐れがある。
【手続補正５】
【補正対象書類名】明細書
【補正対象項目名】０００７
【補正方法】変更
【補正の内容】
【０００７】
本発明は、このような点に鑑みてなされたものであり、射幸性を徒に高めてしまうことを抑制しつつも、遊技者の興趣を損ねず、しかも、有利状態を消化できる権利がリミッタ発動により消去される事象の発生を抑制することができる遊技機を提供することを課題とする。
【手続補正６】
【補正対象書類名】明細書
【補正対象項目名】０００８
【補正方法】変更
【補正の内容】
【０００８】
本発明に係る遊技機は、
複数の識別表示を変動表示可能な可変表示手段（例えば、リール３Ｌ，３Ｃ，３Ｒ）と、前記可変表示手段を用いた遊技の進行を制御する遊技制御手段（例えば、主制御基板７１）と、を備え、
前記遊技制御手段は、遊技者にとって有利な停止操作の態様の報知を実行不能な非有利状態（例えば、通常区間）と、当該報知を実行可能な有利状態（例えば、有利区間）と、を制御可能であり、
前記有利状態として、出玉率が１を超えない第１有利状態と、当該第１有利状態から移行可能で出玉率が１を超える第２有利状態と、を少なくとも有し、
前記有利状態に関連して計数された数値が特定値に達すると、前記有利状態を継続可能な残り期間に関わらず前記有利状態を終了するリミット処理を実行可能なリミット制御手段を更に備える遊技機であって、
非有利状態において第１条件を満たすと、遊技状態を前記第１有利状態に移行し、 前記非有利状態において第２条件を満たすと、遊技状態を前記第２有利状態に移行し、前記第１有利状態において第３条件を満たすと、遊技状態を前記非有利状態に移行し、前記第１有利状態において第４条件を満たすと、遊技状態を前記第２有利状態に移行する状態制御手段を更に備え、
前記非有利状態において前記第２有利状態への移行契機となる前記第２条件を満たす確率は、前記第１有利状態において前記第２有利状態への移行契機となる前記第４条件を満たす確率よりも高く、
前記リミット制御手段は、前記有利状態において最も減少した際の遊技価値の数量を基準として遊技価値が特定数量増加すると、前記リミット処理を実行可能であり、
前記有利状態が終了する際の割合として、前記リミット処理により前記有利状態が終了する割合よりも、前記第２有利状態の終了条件が成立したことに伴って前記有利状態が終了する割合の方が高い
ことを特徴とする。
【手続補正７】
【補正対象書類名】明細書
【補正対象項目名】０００９
【補正方法】変更
【補正の内容】
【０００９】
これにより、有利状態が必要以上に継続してしまうことがなく、射幸心を徒に高めてしまうことを防止できる。また、遊技者にとってより有利な第２有利状態への移行は、第１有利状態から行われることもあれば、非有利状態から移行することもあるが、第１有利状態から移行するよりも、非有利状態からの方が第２有利状態へ移行し易くなっている。これにより、第２有利状態へは、非有利状態から第１有利状態を経由して移行するのではなく、第１有利状態から非有利状態を経由して第２有利状態に移行するルートを主な移行ルートとする遊技性を実現することができる。このようにすることで、第２有利状態に移行した場合には、その直前の遊技状態が非有利状態であることが多く、結果、リミット処理のために計数する数値も、第２有利状態への移行の直前に一度リセットされる。その結果、リミット処理を行うことで射幸性を徒に高めてしまうことを防止しつつも、リミット処理のために用いる数値を第２有利状態の開始前から無駄に計数することがなく、遊技者の興趣を損ねることがない。
【手続補正８】
【補正対象書類名】明細書
【補正対象項目名】００１０
【補正方法】変更
【補正の内容】
【００１０】
しかも、前記有利状態が終了する際の割合として、前記リミット処理により前記有利状態が終了する割合よりも、前記第２有利状態の終了条件が成立したことに伴って前記有利状態が終了する割合の方が高いため、有利状態を消化できる権利がリミッタ発動により消去される事象の発生を抑制することができる。
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】変更
【補正の内容】
【００１４】
本発明によれば、射幸性を徒に高めてしまうことを抑制しつつも、遊技者の興趣を損ねず、しかも、有利状態を消化できる権利がリミッタ発動により消去される事象の発生を抑制することができる遊技機を提供することができる。
【手続補正１３】
【補正対象書類名】明細書
【補正対象項目名】１５７０
【補正方法】変更
【補正の内容】
【１５７０】
本発明に係る遊技機は、複数の識別表示を変動表示可能な可変表示手段（例えば、リール３Ｌ，３Ｃ，３Ｒ）と、前記可変表示手段を用いた遊技の進行を制御する遊技制御手段（例えば、主制御基板７１）と、を備え、停止操作の態様を報知可能な報知状態（例えば、有利区間）すなわち有利状態として、第１報知状態（例えば、通常有利）すなわち第１有利状態と、当該第１有利状態から移行可能で当該第１有利状態よりも報知の可能性が高い第２報知状態（例えば、「ＡＲＴ」）すなわち第２有利状態と、を少なくとも有し、前記有利状態に関連して計数された数値が特定値に達すると、前記有利状態を継続可能な残り期間に関わらず前記有利状態を終了するリミット処理を行う遊技機であって、非報知状態（例えば、通常区間）すなわち非有利状態において第１条件を満たすと、遊技状態を前記第１有利状態に移行し、前記非有利状態において第２条件を満たすと、遊技状態を前記第２有利状態に移行し、前記第１有利状態において第３条件を満たすと、遊技状態を前記非有利状態に移行し、前記第１有利状態において第４条件を満たすと、遊技状態を前記第２有利状態に移行する状態制御手段を更に備え、前記非有利状態において前記第２有利状態への移行契機となる前記第２条件を満たす確率は、前記第１有利状態において前記第２有利状態への移行契機となる前記第４条件を満たす確率よりも高いことを特徴とする。